(57)【要約】【課題】プラントを直接的に構成する機器や装置に対応しないドキュメントや注意表示等を管理することができる運転補助表示管理装置及び方法を提供すること。【解決手段】運転補助表示管理装置１０は、プラントに付随する装置又は運用を識別するためのプラント付随情報と、運転補助表示物を示す表示物情報と、を関連付ける運転補助表示管理台帳を記憶する管理台帳ＤＢ３１を備える。そして、運転補助表示管理装置１０は、プラントに付随する装置又は運用が変更されたことを受け付け、受け付けた変更に応じて、管理台帳ＤＢ３１に基づいて、変更された装置又は運用に関連付けられた表示物情報の一覧を出力する。【選択図】図１
2011186886.tif 000002
【特許請求の範囲】
【請求項１】
プラントの運転操作及び確認を助勢するための運転補助表示物を管理する運転補助表示管理装置であって、
前記プラントに付随する装置又は運用を識別するためのプラント付随情報と、前記運転補助表示物を示す表示物情報と、を関連付ける運転補助表示管理台帳を記憶する管理台帳記憶手段と、
前記プラントに付随する装置又は運用が変更されたことを受け付ける変更受付手段と、
前記変更受付手段によって受け付けられた変更に応じて、前記管理台帳記憶手段に基づいて、変更された前記装置又は運用に関連付けられた前記表示物情報の一覧を出力する管理台帳出力手段と、
を備える運転補助表示管理装置。
【請求項２】
前記表示物情報を更新する要求を受け付ける表示物更新受付手段と、
前記表示物更新受付手段によって受け付けられた前記表示物情報の更新要求に基づいて、前記管理台帳記憶手段に記憶された前記表示物情報を更新する管理台帳更新手段と、をさらに備える請求項１に記載の運転補助表示管理装置。
【請求項３】
前記管理台帳更新手段によって更新された前記管理台帳記憶手段に記憶されている内容を配信する配信手段をさらに備える請求項２に記載の運転補助表示管理装置。
【請求項４】
前記配信手段は、更新された前記管理台帳記憶手段に記憶されている前記表示物情報のうち、更新された前記表示物情報のみを配信する請求項３に記載の運転補助表示管理装置。
【請求項５】
前記変更受付手段によって受け付けられた変更の日付を取得し、前記プラント付随情報に対応付けて前記管理台帳記憶手段に記憶させる付随情報変更日付手段と、
前記表示物更新受付手段によって受け付けられた更新要求に基づいて前記管理台帳更新手段によって更新された更新の日付を取得し、前記更新要求された前記表示物情報に対応付けて前記管理台帳記憶手段に記憶させる表示物更新日付手段と、
前記プラント付随情報に対応付けられた前記変更の日付と、前記表示物情報に対応付けられた前記更新の日付とを比較し、所定の期間内に前記更新の日付が前記変更の日付より新しくなるように更新されることを管理する表示物更新管理手段と、
をさらに備える請求項２から４のいずれかに記載された運転補助表示管理装置。
【請求項６】
プラントに付随する装置又は運用を識別するためのプラント付随情報と、プラントの運転操作及び確認を助勢するための運転補助表示物を示す表示物情報と、を関連付ける運転補助表示管理台帳を記憶する管理台帳記憶手段を備える運転補助表示管理装置が実行する方法であって、
前記プラントに付随する装置又は運用が変更されたことを受け付けるステップと、
前記受け付けられた変更に応じて、前記管理台帳記憶手段に基づいて、変更された前記装置又は運用に関連付けられた前記表示物情報の一覧を出力するステップと、
を備える方法。
【発明の詳細な説明】
【技術分野】
【０００１】
本発明は、運転補助表示管理装置及び方法に関する。
【背景技術】
【０００２】
従来より、プラントを構成する設備機器についての大量の文書は、コンピュータシステムを利用して保管され、必要な時に容易に取り出すことができるように管理されている。このような、プラントについての大量の文書を効率的に管理し、必要とする文書を迅速、かつ、容易に取り出すことのできるシステムとして、特許文献１に開示される装置が知られている。
【０００３】
特許文献１に開示された発電プラント文書管理装置は、発電プラントに関する文書の文書情報を決められた体系に従ってデータベースファイル及び光情報記録要素管理ファイルに保存し、保存された文書情報に対応する文書を、光情報記録媒体に保存する。そして、発電プラント文書管理装置は、検索要求に対してデータベースの文書情報を検索し、検索した文書情報に対応する光情報記録媒体保存のイメージを対話装置に表示する。さらに、発電プラント文書管理装置は、対話装置からの要求によってデータベースのファイルに保存された文書情報の中で不要になった文書情報を削除する。
【先行技術文献】
【特許文献】
【０００４】
【特許文献１】特開平６−３２５１４８号公報
【発明の概要】
【発明が解決しようとする課題】
【０００５】
しかしながら、特許文献１に開示された発明は、発電プラントに関する文書の文書情報を決められた体系に従って保存するので、決められた体系に含まれない文書等を管理できない。例えば、決められた体系がプラントを構成するプロセス及び設備機器の体系である場合、特許文献１に開示された発明は、プラントを直接的に構成しない機器等に対応する文書や注意表示等を管理することが困難である。
【０００６】
ここで、プラントの運転操作又は確認を補助するために設けられる表示物は、プラントを直接的に構成する機器等に対応しない表示物である。そのため、これらの表示物は、プラントを直接的に構成する機器等の変更があっても、更新されることなく、形骸化された状態で設置され続ける場合がある。そこで、プラントを直接的に構成する機器等に対応しないドキュメントや注意表示等を管理する装置が求められている。
【０００７】
本発明は、プラントを直接的に構成する機器や装置に対応しないドキュメントや注意表示等を管理することができる運転補助表示管理装置及び方法を提供することを目的とする。
【課題を解決するための手段】
【０００８】
本発明では、以下のような解決手段を提供する。
【０００９】
（１）  プラントの運転操作及び確認を助勢するための運転補助表示物を管理する運転補助表示管理装置であって、前記プラントに付随する装置又は運用を識別するためのプラント付随情報と、前記運転補助表示物を示す表示物情報と、を関連付ける運転補助表示管理台帳を記憶する管理台帳記憶手段と、前記プラントに付随する装置又は運用が変更されたことを受け付ける変更受付手段と、前記変更受付手段によって受け付けられた変更に応じて、前記管理台帳記憶手段に基づいて、変更された前記装置又は運用に関連付けられた前記表示物情報の一覧を出力する管理台帳出力手段と、を備える運転補助表示管理装置。
【００１０】
（１）の構成によれば、本発明に係る運転補助表示管理装置は、プラントの運転操作及び確認を助勢するための運転補助表示物を管理する運転補助表示管理装置であって、プラントに付随する装置又は運用を識別するためのプラント付随情報と、運転補助表示物を示す表示物情報と、を関連付ける運転補助表示管理台帳を記憶する管理台帳記憶手段を備える。そして、運転補助表示管理装置は、プラントに付随する装置又は運用が変更されたことを受け付け、受け付けた変更に応じて、管理台帳記憶手段に基づいて、変更された装置又は運用に関連付けられた表示物情報の一覧を出力する。
【００１１】
すなわち、本発明に係る運転補助表示管理装置は、プラントを直接的に構成する機器や装置に対応しない運転補助表示物を、プラントに付随する装置又は運用に関連付けて記憶し、プラントに付随する装置又は運用が変更されたことを受け付けて、変更された装置又は運用に関連付けられた表示物情報の一覧を出力する。したがって、本発明に係る運転補助表示管理装置は、プラントを直接的に構成する機器や装置に対応しない運転補助表示物を、プラントに付随する装置又は運用の変更に関連付けて管理し、プラントの安定及び安全運転に対する信頼度の向上を図ることができる。
【００１２】
（２）  前記表示物情報を更新する要求を受け付ける表示物更新受付手段と、前記表示物更新受付手段によって受け付けられた前記表示物情報の更新要求に基づいて、前記管理台帳記憶手段に記憶された前記表示物情報を更新する管理台帳更新手段と、をさらに備える（１）に記載の運転補助表示管理装置。
【００１３】
（２）の構成によれば、運転補助表示管理装置は、表示物情報を更新する要求を受け付け、受け付けた表示物情報の更新要求に基づいて、管理台帳記憶手段に記憶された表示物情報を更新する。
【００１４】
したがって、本発明に係る運転補助表示管理装置は、表示物情報を更新するので、運転補助表示物の最新の状態を管理することができる。
【００１５】
（３）  前記管理台帳更新手段によって更新された前記管理台帳記憶手段に記憶されている内容を配信する配信手段をさらに備える（２）に記載の運転補助表示管理装置。
【００１６】
したがって、本発明に係る運転補助表示管理装置は、更新された運転補助表示管理台帳を配信するので、運転補助表示物についての情報を、関係者に迅速に周知することができる。
【００１７】
（４）  前記配信手段は、更新された前記管理台帳記憶手段に記憶されている前記表示物情報のうち、更新された前記表示物情報のみを配信する（３）に記載の運転補助表示管理装置。
【００１８】
したがって、本発明に係る運転補助表示管理装置は、更新された表示物情報のみを配信するので、運転補助表示物について更新された最新の状態を、関係者に迅速に周知させることができる。
【００１９】
（５）  前記変更受付手段によって受け付けられた変更の日付を取得し、前記プラント付随情報に対応付けて前記管理台帳記憶手段に記憶させる付随情報変更日付手段と、前記表示物更新受付手段によって受け付けられた更新要求に基づいて前記管理台帳更新手段によって更新された更新の日付を取得し、前記更新要求された前記表示物情報に対応付けて前記管理台帳記憶手段に記憶させる表示物更新日付手段と、前記プラント付随情報に対応付けられた前記変更の日付と、前記表示物情報に対応付けられた前記更新の日付とを比較し、所定の期間内に前記更新の日付が前記変更の日付より新しくなるように更新されることを管理する表示物更新管理手段と、をさらに備える（２）から（４）のいずれかに記載された運転補助表示管理装置。
【００２０】
（５）の構成によれば、運転補助表示管理装置は、プラントに付随する装置又は運用が変更されたことを受け付けた変更の日付を取得し、プラント付随情報に対応付けて管理台帳記憶手段に記憶させ、表示物情報を更新した更新の日付を取得し、更新要求された表示物情報に対応付けて管理台帳記憶手段に記憶させる。そして、運転補助表示管理装置は、プラント付随情報に対応付けられた変更の日付と、表示物情報に対応付けられた更新の日付とを比較し、所定の期間内に更新の日付が変更の日付より新しくなるように更新されることを管理する。
【００２１】
したがって、本発明に係る運転補助表示管理装置は、プラントに付随する装置又は運用が変更された日付よりも、運転補助表示物の更新日付が新しいことを管理するので、プラントを直接的に構成する機器や装置に対応しない運転補助表示物が、更新されることなく、形骸化された状態で設置され続けることを防止することができる。
【００２２】
（６）  プラントに付随する装置又は運用を識別するためのプラント付随情報と、プラントの運転操作及び確認を助勢するための運転補助表示物を示す表示物情報と、を関連付ける運転補助表示管理台帳を記憶する管理台帳記憶手段を備える運転補助表示管理装置が実行する方法であって、前記プラントに付随する装置又は運用が変更されたことを受け付けるステップと、前記受け付けられた変更に応じて、前記管理台帳記憶手段に基づいて、変更された前記装置又は運用に関連付けられた前記表示物情報の一覧を出力するステップと、を備える方法。
【００２３】
（６）の構成によれば、本発明に係る方法は、プラントに付随する装置又は運用を識別するためのプラント付随情報と、プラントの運転操作及び確認を助勢するための運転補助表示物を示す表示物情報と、を関連付ける運転補助表示管理台帳を記憶する管理台帳記憶手段を備える運転補助表示管理装置が実行する方法であって、プラントに付随する装置又は運用が変更されたことを受け付け、受け付けた変更に応じて、管理台帳記憶手段に基づいて、変更された装置又は運用に関連付けられた表示物情報の一覧を出力する。
【００２４】
したがって、本発明に係る方法は、プラントを直接的に構成する機器や装置に対応しない運転補助表示物を、プラントに付随する装置又は運用の変更に関連付けて管理し、プラントの安定及び安全運転に対する信頼度の向上を図ることができる。
【発明の効果】
【００２５】
本発明によれば、本発明に係る運転補助表示管理装置は、プラントを直接的に構成する機器や装置に対応しないドキュメントや注意表示等である運転補助表示物を、プラントに付随する装置又は運用に関連付けて管理し、プラントの安定及び安全運転に対する信頼度の向上を図ることができる。また、本発明に係る運転補助表示管理装置は、運転補助表示物の更新を管理し、運転補助表示管理台帳を配信して、運転補助表示物の最新の状態を関係者に迅速に周知させることができる。さらに、本発明に係る運転補助表示管理装置は、プラントに付随する装置又は運用の変更の日付と、運転補助表示物の更新の日付とを管理し、運転補助表示物が更新されることなく形骸化された状態で設置され続けること、を防止することができる。
【図面の簡単な説明】
【００２６】
【図１】本発明の一実施形態に係る運転補助表示管理装置の特徴を示すブロック図である。
【図２】本発明の一実施形態に係る運転補助表示管理装置の機能構成を示す機能ブロック図である。
【図３】本発明の一実施形態に係る運転補助表示管理装置のハードウェア構成の一例を示す図である。
【図４】本発明の一実施形態に係る管理台帳ＤＢの例を示す図である。
【図５】本発明の一実施形態に係る運転補助表示管理装置のプラント付随情報の一例を説明するための図である。
【図６】本発明の一実施形態に係る運転補助表示管理装置の変更更新処理を示すフローチャートである。
【図７】本発明の一実施形態に係る運転補助表示管理装置の更新管理処理を示すフローチャートである。
【図８】本発明の一実施形態に係る運転補助表示管理装置がユーザ端末の表示装置に運転補助表示管理台帳を出力したことを示す図である。
【発明を実施するための形態】
【００２７】
以下、本発明の実施形態について図を参照しながら説明する。
【００２８】
図１は、本発明の一実施形態に係る運転補助表示管理装置１０の特徴を示すブロック図である。運転補助表示管理装置１０は、管理台帳記憶手段として管理台帳ＤＢ３１と、変更受付手段として変更受付部１１と、管理台帳出力手段として管理台帳出力部１２とを備えている。そして、運転補助表示管理装置１０は、プラントの運転操作及び確認を助勢するための運転補助表示物を管理する。このような運転補助表示管理装置１０について、各部ごとに詳述する。
【００２９】
管理台帳ＤＢ３１は、プラントに付随する装置又は運用を識別するプラント付随情報と、運転補助表示物を示す表示物情報と、を関連付ける運転補助表示管理台帳を記憶する。ここで、プラントに付随する装置は、プラントを直接的に構成する機器や、装置等を除いた、プラントの運用を補助するための機器や、装置等である。例えば、プラント１号機に付随する装置は、プラント１号機を直接的に構成する給水ポンプや、蒸気発生器等を除き、プラント１号機の運転状態を計測するための計測器や、火災時に使用する消火装置等を含む。また、プラントに付随する運用は、プラントを直接的に運用するための操作や、手順等を除いた、プラントの操作や確認を助勢するための手順や、注意事項等を含む。例えば、プラント１号機に付随する運用は、プラント１号機を起動させるための手順や、停止させるための手順等を除いた、プラント１号機を操作するに当たっての基本的な注意事項や、ヒューマンエラー発生防止のための注意喚起事項等を含む。運転補助表示物は、上述した手順や、注意事項等を表示する表示物であり、例えば、装置内のサンプリング点を示すパネルや、消火装置の操作手順を示す写真パネル等を含む。
【００３０】
すなわち、管理台帳ＤＢ３１は、上述したプラントに付随する装置又は運用を識別する付随情報であるプラント付随項目ＩＤと、上述した運転補助表示物を示す表示情報である表示物管理番号等とを関連付けて記憶する（後述する図４参照）。例えば、管理台帳ＤＢ３１は、プラント１号機のＰＣＶ内露点計サンプリング点を示すパネル（表事物管理番号：１−１）と、プラント１号機の動作確認を助勢するための項目であるサンプリング位置に付したプラント付随項目ＩＤ（例えば、１−Ｃ−００１）とを対応付けて関連付けている。よって、運転補助表示管理装置１０は、プラント１号機のサンプリング位置が変更された場合、サンプリング位置に関することを示すプラント付随項目ＩＤによって管理台帳ＤＢ３１に基づいて、サンプリング位置の変更に関連する運転補助表示物を抽出してユーザ端末６０に出力することができ、運転補助表示物が更新されることなく形骸化された状態で設置され続けることを、防止することができる。
【００３１】
変更受付部１１は、プラントに付随する装置又は運用が変更されたことを受け付ける。例えば、変更受付部１１は、ユーザ端末６０からプラントに付随する装置又は運用を識別するプラント付随項目ＩＤと、変更になったことを示す指示データとを受け付ける。
【００３２】
管理台帳出力部１２は、変更受付部１１によって受け付けられた変更に応じて、管理台帳ＤＢ３１に基づいて、変更された装置又は運用に関連付けられた表示物情報の一覧を出力する。管理台帳出力部１２は、管理台帳ＤＢ３１に記憶された全ての表示物情報の一覧を出力してもよいし、変更された装置又は運用に関連付けられた表示物情報のみの一覧を出力してもよい。管理台帳出力部１２は、管理台帳ＤＢ３１に記憶された内容を、例えば、プリンタやＦａｘに出力したり、管理台帳ＤＢ３１に記憶された内容を運転補助表示管理台帳としてファイルに出力したりする。
【００３３】
図２は、本発明の一実施形態に係る運転補助表示管理装置１０の機能構成を示す機能ブロック図である。運転補助表示管理装置１０は、図１の特徴に加えて、付随情報変更日付手段として付随情報変更日付部１３と、表示物更新受付手段として表示物更新受付部１４と、管理台帳更新手段として管理台帳更新部１５と、表示物更新日付手段として表示物更新日付部１６と、配信手段として配信部１７と、表示物更新管理手段として表示物更新管理部１８とを備えている。このような運転補助表示管理装置１０について、各部ごとに詳述する。
【００３４】
付随情報変更日付部１３は、変更受付部１１によって受け付けられた変更の日付を取得し、プラント付随情報に対応付けて管理台帳ＤＢ３１に記憶させる。例えば、付随情報変更日付部１３は、ＰＣＶ内露点計サンプリング点が変更になったこと（例えば、プラント付随項目ＩＤ：１−Ｃ−００１、指示データ：変更）を受け付けた日付を取得し、管理台帳ＤＢ３１のプラント付随情報のうち、プラント付随項目ＩＤの１−Ｃ−００１に対応付けられた変更日に、取得した日付を記憶させる。日付は、運転補助表示管理装置１０のプログラムを管理するＯＳ（Ｏｐｅｒａｔｉｎｇ  Ｓｙｓｔｅｍ）が備えるカレンダ機能から取得される日付である。そして、付随情報変更日付部１３は、表示物情報の更新又は確認日に更新を促すための注意フラグをセットする。
【００３５】
表示物更新受付部１４は、表示物情報を更新する要求を受け付ける。例えば、表示物更新受付部１４は、ＰＣＶ内露点計サンプリング点を示す運転補助表示物の更新要求を、表示物管理番号：１−１と、指示データ：更新要求とによって受け付ける。
【００３６】
管理台帳更新部１５は、表示物更新受付部１４によって受け付けられた表示物情報の更新要求に基づいて、管理台帳ＤＢ３１に記憶された表示物情報を更新する。管理台帳更新部１５は、受け付けた表示物管理番号によって管理台帳ＤＢ３１を検索し、検索した表示物管理番号に対応付けられた、例えば、運転補助表示、管理者、場所、表示状態及び表示状態の写真等を更新する。
【００３７】
表示物更新日付部１６は、表示物更新受付部１４によって受け付けられた更新要求に基づいて管理台帳更新部１５によって更新された更新の日付を取得し、更新要求された表示物情報に対応付けて管理台帳ＤＢ３１に記憶させる。例えば、表示物更新日付部１６は、表示物更新受付部１４によって受け付けられた、ＰＣＶ内露点計サンプリング点を示す運転補助表示物の更新要求（表示物管理番号：１−１、指示データ：更新要求）に基づいて管理台帳更新部１５によって更新された更新の日付を取得し、管理台帳ＤＢ３１の表示物情報のうち、表示物管理番号：１−１に対応付けられた更新又は確認日に、取得した日付を記憶させる。
【００３８】
配信部１７は、管理台帳更新部１５によって更新された管理台帳ＤＢ３１に記憶されている内容を配信する。さらに、配信部１７は、更新された管理台帳ＤＢ３１に記憶されている表示物情報のうち、更新された表示物情報のみを配信する。例えば、配信部１７は、管理台帳出力部１２によって出力された運転補助表示管理台帳のファイルを、管理台帳ＤＢ３１に記憶されている運転補助表示物の管理者に、メール等により配信する。さらに、配信部１７は、例えば更新された表示物情報のみを配信するという設定によって、更新された運転補助表示物の表示物情報のみのファイルをメール等により配信する。
【００３９】
表示物更新管理部１８は、プラント付随情報に対応付けられた変更の日付と、表示物情報に対応付けられた更新の日付とを比較し、所定の期間内に更新の日付が変更の日付より新しくなるように更新されることを管理する。例えば、表示物更新管理部１８は、定期的に管理台帳ＤＢ３１を参照し、プラント付随情報のプラント付随項目ＩＤに対応付けられた変更日と、表示物情報の更新又は確認日とを比較する。そして、表示物更新管理部１８は、所定の期間内（例えば、１ヶ月内）に、表示物情報の更新又は確認日が変更日より新しくならない場合に、注意を促すための警告等を出力する。
【００４０】
図３は、本発明の一実施形態に係る運転補助表示管理装置１０のハードウェア構成の一例を示す図である。運転補助表示管理装置１０は、ＣＰＵ（Ｃｅｎｔｒａｌ  Ｐｒｏｃｅｓｓｉｎｇ  Ｕｎｉｔ）１０００、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、Ｉ／Ｏコントローラ１０７０、ハードディスク１０７４、表示装置１０８０及び入力装置１１００を備え、バスライン１００５により接続されている。
【００４１】
ＣＰＵ１０００は、運転補助表示管理装置１０を統括的に制御する部分であり、ハードディスク１０７４に記憶された各種プログラムを適宜読み出して実行することにより、上述したハードウェアと協働し、本発明に係る各種機能を実現している。
【００４２】
通信Ｉ／Ｆ１０４０は、運転補助表示管理装置１０を専用ネットワーク又は公共ネットワークを介して他のサーバ等と接続できるようにするためのネットワーク・アダプタである。例えば、運転補助表示管理装置１０は、通信Ｉ／Ｆ１０４０を介してユーザ端末６０からプラントに付随する装置又は運用が変更されたことや、運転補助表示物の更新要求を受け付けたり、運転補助表示管理台帳を関係者に配信したりする。
【００４３】
メインメモリ１０５０は、ＣＰＵ１０００によって適宜読み出して実行されるプログラムを記憶し、プログラムの実行によって作成される種々の情報を記憶する。ＢＩＯＳ１０６０は、運転補助表示管理装置１０の起動時にＣＰＵ１０００が実行するブートプログラムや、運転補助表示管理装置１０のハードウェアに依存するプログラム等を格納する。
【００４４】
Ｉ／Ｏコントローラ１０７０には、ハードディスク１０７４等の記憶手段を接続することができる。ハードディスク１０７４は、運転補助表示管理装置１０が本発明の機能を実行するためのプログラムを記憶しており、管理台帳ＤＢ３１等を記憶している。
【００４５】
運転補助表示管理装置１０に提供されるプログラムは、ハードディスク１０７４、又はメモリカード等の記録媒体に格納されて提供される。このプログラムは、Ｉ／Ｏコントローラ１０７０を介して、記録媒体から読み出され、又は通信Ｉ／Ｆ１０４０を介してサーバ（図示せず）からダウンロードされることによって、運転補助表示管理装置１０にインストールされ実行されてもよい。
【００４６】
表示装置１０８０は、オペレータの指示を受け付けるメッセージや、警報するメッセージ及び画像等を表示するものであり、ブラウン管表示装置、液晶表示装置等のディスプレイ装置を含む。入力装置１１００は、運転補助表示管理装置１０のオペレータによる入力を行う装置であり、キーボード及びマウス等で構成される。
【００４７】
図４は、本発明の一実施形態に係る管理台帳ＤＢ３１の例を示す図である。管理台帳ＤＢ３１は、運転補助表示物を示す表示物情報と、プラントに付随する装置又は運用を識別するプラント付随情報とを記憶している。表示物情報は、表示物管理番号と、運転補助表示物の表示内容である運転補助表示と、運転補助表示物を管理する管理者と、運転補助表示物を設置する場所と、運転補助表示物を更新した日又は確認した日である更新又は確認日と、運転補助表示物の表示状態と、運転補助表示物の表示状態の写真等とを含む。ここで運転補助表示物を管理する管理者は、管理者名や、メールアドレス等の送信先アドレスを含む。運転補助表示物の確認日は、プラント付随情報が変更され、変更されたプラント付随情報に関連付けられた運転補助表示物について現状のままで更新する必要がないことを確認した日であって、表示物更新受付部１４によって受け付けられる。プラント付随情報は、プラント付随情報の項目を識別するプラント付随項目ＩＤと、プラント付随情報の内容について変更した日である変更日とを記憶している。プラント付随項目ＩＤ及び変更日は、表示物情報に対応付けて２個以上記憶されてもよい。管理台帳ＤＢ３１の作成及び追加や、管理台帳ＤＢ３１のプラント付随項目ＩＤの追加及び修正は、運転補助表示管理装置１０によってされてもよいし、他のシステムによってされてもよい。
【００４８】
図５は、本発明の一実施形態に係る運転補助表示管理装置１０のプラント付随情報の一例を説明するための図である。例えば、プラント付随情報は、図５に示すようなプラント付随情報テーブルとして表わされる。プラント付随情報テーブルは、運転補助表示管理装置１０のハードディスク１０７４に記憶されていてもよいし、他のシステムによって管理されていてもよい。例えば、プラント付随情報テーブルは、プラントごとに、プラント付随項目ＩＤと、プラント付随項目の内容等とを記憶している。よって、プラントに付随する装置又は運用の変更に対し、プラント付随情報テーブルによって対応付けられたプラント付随項目ＩＤを、運転補助表示管理装置１０は、受け付けることができる。プラント付随項目は、例えば、運転補助表示物の追加と共に適宜追加される。
【００４９】
図６は、本発明の一実施形態に係る運転補助表示管理装置１０の変更更新処理を示すフローチャートである。本処理は、プログラムの開始指令により開始し、プログラムの終了により終了する。
【００５０】
ステップＳ１０１において、ＣＰＵ１０００（変更受付部１１）は、プラントに関する装置又は運用の変更か否かを判断する。より具体的には、ＣＰＵ１０００は、ユーザ端末６０から受信したデータがプラントに付随する装置又は運用の変更を示すデータ（例えば、プラント付随項目ＩＤ）か否かを判断する。この判断がＹＥＳの場合、ＣＰＵ１０００は、処理をステップＳ１０７に移し、ＮＯの場合、ＣＰＵ１０００は、処理をステップＳ１０２に移す。
【００５１】
ステップＳ１０２において、ＣＰＵ１０００（表示物更新受付部１４）は、運転補助表示物の更新か否かを判断する。より具体的には、ＣＰＵ１０００は、ユーザ端末６０から受信したデータが運転補助表示物の更新を示すデータ（例えば、表示物管理番号、新しい表示物情報等）か否かを判断する。この判断がＹＥＳの場合、ＣＰＵ１０００は、処理をステップＳ１０３に移し、ＮＯの場合、ＣＰＵ１０００は、処理を終了する。
【００５２】
ステップＳ１０３において、ＣＰＵ１０００（管理台帳更新部１５、表示物更新日付部１６）は、管理台帳ＤＢ３１に記憶された表示物情報を更新する。より具体的には、ＣＰＵ１０００は、ステップＳ１０２において受信した表示物管理番号によって、管理台帳ＤＢ３１を検索し、検索した表示物管理番号に対応付けて記憶されている運転補助表示、管理者、場所、表示状態及び表示状態の写真等のデータを更新する。そして、ＣＰＵ１０００は、日付を取得し、管理台帳ＤＢ３１の更新又は確認日に記憶させる。その後、ＣＰＵ１０００は、処理をステップＳ１０４に移す。
【００５３】
ステップＳ１０４において、ＣＰＵ１０００（管理台帳出力部１２、配信部１７）は、運転補助表示物管理台帳の内容を全て配信するか否かを判断する。より具体的には、ＣＰＵ１０００は、配信用の設定値（例えば、設定値が０の場合、全て配信し、設定値が１の場合、該当するデータのみを配信する）によって運転補助表示物管理台帳の内容を全て配信するか否かを判断する。この判断がＹＥＳの場合、ＣＰＵ１０００は、処理をステップＳ１０５に移し、ＮＯの場合、ＣＰＵ１０００は、処理をステップＳ１０６に移す。
【００５４】
ステップＳ１０５において、ＣＰＵ１０００（管理台帳出力部１２、配信部１７）は、管理台帳ＤＢ３１の内容を全て配信する。より具体的には、ＣＰＵ１０００は、管理台帳ＤＢ３１に記憶された表示物情報及びプラント付随情報のデータを全てファイル化し、管理台帳ＤＢ３１に記憶されている管理者のメールアドレスに重複を除いて送信する。その後、ＣＰＵ１０００は、処理を終了する。
【００５５】
ステップＳ１０６において、ＣＰＵ１０００（管理台帳出力部１２、配信部１７）は、管理台帳ＤＢ３１に記憶された運転補助表示物のうち、更新された運転補助表示物のデータを配信する。より具体的には、ＣＰＵ１０００は、管理台帳ＤＢ３１に記憶された表示物情報及びプラント付随情報のうち、更新された運転補助表示物の表示物情報及びプラント付随情報のデータをファイル化し、更新された運転補助表示物の管理者として管理台帳ＤＢ３１に記憶されている管理者のメールアドレスに送信する。その後、ＣＰＵ１０００は、処理を終了する。
【００５６】
ステップＳ１０７において、ＣＰＵ１０００（付随情報変更日付部１３、管理台帳出力部１２、配信部１７）は、管理台帳ＤＢ３１に基づいて、運転補助表示管理台帳を出力する。より具体的には、ＣＰＵ１０００は、ステップＳ１０１において受信したプラント付随項目ＩＤによって管理台帳ＤＢ３１を検索し、検索したプラント付随項目ＩＤに対応する変更日に、取得した日付を記憶させる。そして、ＣＰＵ１０００は、検索したプラント付随項目ＩＤに対応付けられた表示物情報を抽出し、抽出した表示物情報の変更又は確認日に注意フラグを記憶させる。そして、ＣＰＵ１０００は、管理台帳ＤＢ３１に記憶された表示物情報及びプラント付随情報のデータをファイル化し、運転補助表示物の管理者として管理台帳ＤＢ３１に記憶されている管理者のメールアドレスに送信する。その後、ＣＰＵ１０００は、処理を終了する。
【００５７】
図７は、本発明の一実施形態に係る運転補助表示管理装置１０の更新管理処理を示すフローチャートである。本処理は、プログラムを管理するＯＳ（Ｏｐｅｒａｔｉｎｇ  Ｓｙｓｔｅｍ）のもとで定期的に開始し、プログラムの終了により終了する。
【００５８】
ステップＳ２０１において、ＣＰＵ１０００（表示物更新管理部１８）は、管理台帳ＤＢ３１を参照し、更新又は確認日が変更日より新しいか否かを判断する。より具体的には、ＣＰＵ１０００は、運転補助表示物ごとに、更新又は確認日と、変更日とを比較し、更新又は確認日の値が変更日の値以上であるか否かを判断する。この判断がＹＥＳの場合、ＣＰＵ１０００は、処理をステップＳ２０４に移し、ＮＯの場合、ＣＰＵ１０００は、処理をステップＳ２０２に移す。
【００５９】
ステップＳ２０２において、ＣＰＵ１０００（表示物更新管理部１８）は、変更日から所定の期間内か否かを判断する。より具体的には、ＣＰＵ１０００は、変更日と現在の日付とを比較し、現在の日付が変更日から所定の期間（例えば、１ヶ月）内であるか否かを判断する。この判断がＹＥＳの場合、ＣＰＵ１０００は、処理をステップＳ２０４に移し、ＮＯの場合、ＣＰＵ１０００は、処理をステップＳ２０３に移す。
【００６０】
ステップＳ２０３において、ＣＰＵ１０００（表示物更新管理部１８）は、更新又は確認日が変更日よりも古い運転補助表示物について管理者に配信する。より具体的には、ＣＰＵ１０００は、更新又は確認日が変更日よりも古い運転補助表示物を管理台帳ＤＢ３１から抽出し、抽出した表示物情報及びプラント付随情報のデータをファイル化し、抽出した運転補助表示物の管理者に送信する。その後、ＣＰＵ１０００は、処理をステップＳ２０４に移す。
【００６１】
ステップＳ２０４において、ＣＰＵ１０００（表示物更新管理部１８）は、全ての運転補助表示物について処理したか否かを判断する。より具体的には、ＣＰＵ１０００は、管理台帳ＤＢ３１の全ての運転補助表示物について、更新又は確認日と変更日との比較をしたか否かを判断する。この判断がＹＥＳの場合、ＣＰＵ１０００は、処理を終了し、ＮＯの場合、ＣＰＵ１０００は、処理をステップＳ２０１に移す。
【００６２】
図８は、本発明の一実施形態に係る運転補助表示管理装置１０がユーザ端末６０の表示装置６１に運転補助表示管理台帳を出力したことを示す図である。図８の例は、プラント付随項目ＩＤの１−Ｃ−００２（例えば、消火装置）の内容が変更されたので、運転補助表示物管理台帳をファイル化し、管理者のユーザ端末６０に送信し、ユーザ端末６０が受信した運転補助表示物管理台帳のファイルを表示装置６１に表示していることを示す例である。また、図８の例は、運転補助表示管理装置１０が、変更に関連する表示物情報を抽出し、表示物情報の更新又は確認日に注意フラグ（マーク１０１）をセットして管理していることを示し、運転補助表示物管理台帳を受信したユーザ端末６０が表示装置６１に、注意フラグ（マーク１０１）がセットされた表示物情報をマーク表示２０１のように強調して表示させていることを示す例である。なお、管理番号１−２の運転補助表示物が更新され、更新又は確認日がプラント付随情報の変更日よりも新しくされると、運転補助表示管理装置１０は、管理台帳ＤＢ３１に記憶させたマーク１０１を消去する。運転補助表示管理装置１０は、運転補助表示物を更新した場合に、同様に運転補助表示管理台帳を送信し、ユーザ端末６０の表示装置６１は、同様な表示をする。さらに、運転補助表示管理装置１０は、プラント付随情報の変更日から所定の期間を超えても、表示物情報の更新又は確認日が変更日より新しくならなかったことを検出した場合に、該当する表示物情報及びプラント付随情報のデータをファイル化し、注意のメッセージと共に運転補助表示物の管理者に送信する。送信されたメッセージ等を受信した管理者のユーザ端末６０の表示装置６１は、注意のメッセージの表示と共に、図８の表示の例と同様な表示をする。
【００６３】
実施形態によれば、運転補助表示管理装置１０は、プラントに付随する装置又は運用を識別するためのプラント付随情報と、運転補助表示物を示す表示物情報と、を関連付ける運転補助表示管理台帳を記憶する管理台帳ＤＢ３１を備える。そして、運転補助表示管理装置１０は、プラントに付随する装置又は運用が変更されたことを受け付け、受け付けた変更に応じて、管理台帳ＤＢ３１に基づいて、変更された装置又は運用に関連付けられた表示物情報の一覧を出力する。
【００６４】
さらに、運転補助表示管理装置１０は、表示物情報を更新する要求を受け付け、受け付けた表示物情報の更新要求に基づいて、管理台帳ＤＢ３１に記憶された表示物情報を更新し、更新された管理台帳ＤＢ３１に記憶されている内容を配信したり、更新された管理台帳ＤＢ３１に記憶されている表示物情報のうち、更新された表示物情報のみを配信したりする。
【００６５】
さらに、運転補助表示管理装置１０は、プラントに付随する装置又は運用の変更を受け付けた変更日と、運転補助表示物を更新した更新日とを比較し、所定の期間内に更新日が変更日より新しくならない場合に、該当する運転補助表示物を管理台帳ＤＢ３１から抽出し、運転補助表示物の管理者に送信する。
【００６６】
したがって、運転補助表示管理装置１０は、プラントを直接的に構成する機器や装置に対応しないドキュメントや注意表示等である運転補助表示物を管理し、プラントの安定及び安全運転に対する信頼度の向上を図ることができる。また、運転補助表示管理装置１０は、運転補助表示物の更新を管理し、運転補助表示管理台帳を配信して、運転補助表示物の最新の状態を関係者に迅速に周知させることができる。さらに、運転補助表示管理装置１０は、プラントに付随する装置又は運用の変更の日付と、運転補助表示物の更新の日付とを管理し、運転補助表示物が更新されることなく形骸化された状態で設置され続けること、を防止することができる。
【００６７】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６８】
１０  運転補助表示管理装置
１１  変更受付部
１２  管理台帳出力部
１３  付随情報変更日付部
１４  表示物更新受付部
１５  管理台帳更新部
１６  表示物更新日付部
１７  配信部
１８  表示物更新管理部
３１  管理台帳ＤＢ
【図１】
2011186886.tif 000003
【図２】
2011186886.tif 000004
【図３】
2011186886.tif 000005
【図４】
2011186886.tif 000006
【図５】
2011186886.tif 000007
【図６】
2011186886.tif 000008
【図７】
2011186886.tif 000009
【図８】
2011186886.tif 000010